(57)【要約】【課題】室温よりも高温、室温よりも低温のいずれにおいても精度の高い温度制御が行える恒温槽を提供する。【解決手段】恒温室１６内を室温よりも高温に維持する際は、送風ファン３３により、加温された空気が、エア流路２２のうちの下部から両側部に、両側部から上部に、上部から背部に、背部から下部に循環して流れ、恒温室１６内を室温より低温に維持する際は、送風ファン３３が逆回転されて送風ファン３３により、冷却された空気が、エア流路２２のうちの下部から背部に、背部から上部に、上部から両側部に、両側部から下部に循環して流れるよう、エア流路２２の流路が形成されていることを特徴とする。【選択図】図１
2008185286.tif 000002
【特許請求の範囲】
【請求項１】
外装壁と内装壁とよりなる二重壁構造をなし、内装壁で囲まれた空間が恒温室に形成され、外装壁と内装壁との間に、送風ファンと冷凍機のエバポレータとヒータとが配設され、外装壁と内装壁との間がエア流路に形成された恒温槽において、
前記エバポレータとヒータとが前記エア流路の内の下部側に配設され、
前記送風ファンを正逆駆動する正逆モータを具備し、
前記恒温室内を室温よりも高温に維持する際は、前記送風ファンにより、加温された空気が、前記エア流路のうちの下部から両側部に、両側部から上部に、上部から背部に、背部から下部に循環して流れ、前記恒温室内を室温より低温に維持する際は、前記送風ファンが逆回転されて該送風ファンにより、冷却された空気が、前記エア流路のうちの下部から背部に、背部から上部に、上部から両側部に、両側部から下部に循環して流れるよう、前記エア流路の流路が形成されていることを特徴とする恒温槽。
【請求項２】
外装壁と内装壁とよりなる二重壁構造をなし、内装壁で囲まれた空間が恒温室に形成され、外装壁と内装壁との間に、送風ファンと冷凍機のエバポレータとヒータとが配設され、外装壁と内装壁との間がエア流路に形成された恒温槽において、
前記エア流路が、下面部の二重壁空間であって、前後方向に延びる下面部エア流路と、両側面部の二重壁空間であって、前記下面部エア流路に連通する側面部エア流路と、上面部の二重壁空間であって、前後方向に延び、前記側面部エア流路と連通する上面部エア流路と、背面部の二重壁空間であって、左右両脇に仕切材が配置されて上下方向に延び、前記上面部エア流路および下面部エア流路に連通する背面部エア流路とに形成され、
前記エバポレータおよびヒータが前記下面部エア流路内に位置して配設され、
前記送風ファンを駆動する正逆モータが配設され、
前記恒温室内を室温よりも高温に維持する際は、前記送風ファンにより、加温された空気が、下面部エア流路、側面部エア流路、上面部エア流路、背面部エア流路の順に流され、前記恒温室内を室温より低温に維持する際は、前記送風ファンが逆回転されて該送風ファンにより、冷却された空気が、下面部エア流路、背面部エア流路、上面部エア流路、側面部エア流路の順に流されることを特徴とする恒温槽。
【請求項３】
前記下面部エア流路内に、前記送風ファン、エバポレータおよびヒータが、後部側から前部側に向けてこの順に配設されていることを特徴とする請求項２記載の恒温槽。
【請求項４】
前記側面部エア流路が、前記下面部エア流路の前端部側に連通していることを特徴とする請求項２または３記載の恒温槽。
【発明の詳細な説明】
【技術分野】
【０００１】
本発明は、室温よりも高温、室温よりも低温のいずれにおいても精度の高い温度制御が行える恒温槽に関する。
【背景技術】
【０００２】
外装壁と内装壁とよりなる二重壁構造をなし、内装壁で囲まれた空間が恒温室に形成され、外装壁と内装壁との間に、送風ファンと冷凍機のエバポレータが配設され、外装壁と内装壁との間がエア流路に形成された生鮮食料品保存装置が知られている（特公平７−４９９０５号公報）。この装置によれば、エア流路（エアージャケット）内に温調された空気が流れ、空気が直接貯蔵物に吹き付けられないので、冷却空気による影響が少ないという利点がある。
【特許文献１】特公平７−４９９０５号公報
【発明の開示】
【発明が解決しようとする課題】
【０００３】
しかしながら、上記装置では、エアージャケット内を温調された空気が一定方向に流れ、制御温度の高低に無関係に温調をしているため、精密な温度制御が困難であるという課題がある。
そこで本発明は上記課題を解決すべくなされたもので、その目的とするところは、室温よりも高温、室温よりも低温のいずれにおいても精度の高い温度制御が行える恒温槽を提供するにある。
【課題を解決するための手段】
【０００４】
本発明に係る恒温槽は、外装壁と内装壁とよりなる二重壁構造をなし、内装壁で囲まれた空間が恒温室に形成され、外装壁と内装壁との間に、送風ファンと冷凍機のエバポレータとヒータとが配設され、外装壁と内装壁との間がエア流路に形成された恒温槽において、前記エバポレータとヒータとが前記エア流路の内の下部側に配設され、前記送風ファンを正逆駆動する正逆モータを具備し、前記恒温室内を室温よりも高温に維持する際は、前記送風ファンにより、加温された空気が、前記エア流路のうちの下部から両側部に、両側部から上部に、上部から背部に、背部から下部に循環して流れ、前記恒温室内を室温より低温に維持する際は、前記送風ファンが逆回転されて該送風ファンにより、冷却された空気が、前記エア流路のうちの下部から背部に、背部から上部に、上部から両側部に、両側部から下部に循環して流れるよう、前記エア流路の流路が形成されていることを特徴とする。
【０００５】
また本発明に係る恒温槽は、外装壁と内装壁とよりなる二重壁構造をなし、内装壁で囲まれた空間が恒温室に形成され、外装壁と内装壁との間に、送風ファンと冷凍機のエバポレータとヒータとが配設され、外装壁と内装壁との間がエア流路に形成された恒温槽において、前記エア流路が、下面部の二重壁空間であって、前後方向に延びる下面部エア流路と、両側面部の二重壁空間であって、前記下面部エア流路に連通する側面部エア流路と、上面部の二重壁空間であって、前後方向に延び、前記側面部エア流路と連通する上面部エア流路と、背面部の二重壁空間であって、左右両脇に仕切材が配置されて上下方向に延び、前記上面部エア流路および下面部エア流路に連通する背面部エア流路とに形成され、前記エバポレータおよびヒータが前記下面部エア流路内に位置して配設され、前記送風ファンを駆動する正逆モータが配設され、前記恒温室内を室温よりも高温に維持する際は、前記送風ファンにより、加温された空気が、下面部エア流路、側面部エア流路、上面部エア流路、背面部エア流路の順に流され、前記恒温室内を室温より低温に維持する際は、前記送風ファンが逆回転されて該送風ファンにより、冷却された空気が、下面部エア流路、背面部エア流路、上面部エア流路、側面部エア流路の順に流されることを特徴とする。
【０００６】
また、前記下面部エア流路内に、前記送風ファン、エバポレータおよびヒータが、後部側から前部側に向けてこの順に配設されていることを特徴とする。
また、前記側面部エア流路が、前記下面部エア流路の前端部側に連通していることを特徴とする。
【発明の効果】
【０００７】
本発明によれば、恒温室内の温度を室温よりも高い温度に設定するときは、ヒータにより加熱された空気が、エア流路の下部から両側部を伝って上昇する。言わばエア流路下部に熱溜まりが生じ、両側部を伝って上昇し、次いで背部側から下降するので、自然な熱対流が生じ、これにより精度のよい加温ができる。また、恒温室内の温度を室温よりも低い温度に設定するときは、送風ファンが逆回転され、冷凍機によって冷却された空気が送風ファンによりエア流路の背部側から一気に上部に送り込まれ、言わばエア流路上部に冷気溜まりが生じ、この重い空気が両側部を下降するという、やはり自然な熱対流が生じることから精度のよい冷却が行える。
【発明を実施するための最良の形態】
【０００８】
以下本発明の好適な実施の形態を添付図面を参照して詳細に説明する。
図１は恒温槽１０の正面図、図２は左側面図、図３は右側面図、図４は平面図である。
恒温槽１０は、外装壁１２と内装壁１４とよりなる二重壁構造をなし、内装壁１４で囲まれた空間が恒温室１６に形成されている。なお、前面は、開閉可能な扉１８に形成されている。
【０００９】
外装壁１２は、図５に示すように、ステンレス板２０の内面にポリウレタン成形樹脂の板材からなる断熱材２１が接着剤等により添設された簡易な構造のものを用いている。なお、内装壁１４はステンレス板よりなる。このような簡易な構造の外装壁１２、内装壁１４であるから、組み付けは容易である。断熱材２１内面と内装壁１４外面との間がエア流路２２に形成される。
【００１０】
エア流路２２は、下面部の二重壁空間であって、前後方向に延びる下面部エア流路２４と、両側面部の二重壁空間であって、下面部エア流路２４に連通する側面部エア流路２５と、上面部の二重壁空間であって、前後方向に延び、側面部エア流路２５と連通する上面部エア流路２６と、背面部の二重壁空間であって、左右両脇に断熱材（仕切材）２７が配置されて（図４）上下方向に延び、上面部エア流路２６および下面部エア流路２４に連通する背面部エア流路２８とを有する。
【００１１】
なお、下面部エア流路２４は、下面部の二重壁空間内に、下方に開放する断面コの字状のカバー３０が配置されることによって形成されている。そして、この下面部エア流路２４内に、送風ファン３１、冷凍機のエバポレータ３２およびヒータ３３が、後部側から前部側に向けてこの順に配設されている。なお、３５は冷凍機本体である。
また、図示しないが、送風ファン３３を正回転、逆回転させる正逆モータが配設されている。これら正逆モータ、冷凍機３５、ヒータ３３は、図示しない制御部により駆動、制御される。
【００１２】
側面部エア流路２５は、カバー３０の前端部側側面に開口した開口部３６を通じて下面部エア流路２４の前端部側に連通している。このようにすることで、エアが、エバポレータ３２、ヒータ３３を確実に通過した後側面部エア流路２５に流入するので好適である。
両側面部エア流路２５は、図２、図３に明確なように、断熱材（仕切材）２１の内面に上下方向に延びるように、一定の間隔をおいて接着剤により固定された４本の断熱材（仕切材）３７によって仕切られて、３本の流路に別れるように設定されている。これら３本の流路は上端部で上面部エア流路２６に連通している。なおこれら断熱材（仕切材）３７は、エアの整流効果を有する。
【００１３】
また、上面部エア流路２６は、断熱材（仕切材）２１に前後方向に延びるように、一定の間隔をおいて接着剤により固定された４本の断熱材（仕切材）３８によって仕切られて、３本の流路に別れるように設定されている。これら３本の流路は後端部で背面部エア流路２８に接続している。
なお、背面部エア流路２８は、二重壁構造の左右に幅広の断熱材（仕切材）２７が配置されることによって、１本の流路に形成され、この１本の流路が、下端において、下面部エア流路２４を構成するカバー３０の後端部に連通している。
断熱材２７、断熱材３７、断熱材３８もポリウレタン樹脂からなる板材を好適に用いることができるが、材質は特に限定されない。
【００１４】
制御部は設定温度入力部を有し、恒温槽１０の設定温度を入力しうるようになっている。また、図示しないが、恒温室１６の内部温度を検出する温度センサが設けられ、この温度センサによって検出された温度データが制御部に入力される。
【００１５】
本実施の形態における恒温槽１０は上記の構成を有する。
恒温槽１０の運転は次のようになされる。
恒温室１６内を室温よりも高温の例えば３７℃に加温、維持する際は、制御部の設定温度入力部に３７℃と入力する。制御部は、冷凍機３５、ヒータ３３、送風ファン３３の駆動部を駆動、制御する。下面部エア流路２４内の空気はまず冷凍機３５により所要温度に冷却され、次いでヒータ３３によって加温される。この加温された空気は、送風ファン３１により、下面部エア流路２４、側面部エア流路２５、上面部エア流路２６、背面部エア流路２８の順に流れるようにされる。加温された空気は軽くなり上昇しやすいので、下面部エア流路２４から、広い、両側面部エア流路２５内を支障なく上昇し、恒温室１６内を均一に加温する。
【００１６】
なお、冷凍機３５も運転するのは、一旦一定の温度に冷却し、これをヒータ３３で加熱する方が、正確な温調ができるからである。恒温室１６内の温度は温度センサによって検出され、この検出温度が制御部に入力され、制御部では、この温度センサの検出温度に基づき、ヒータ３３のオンオフ制御をして、恒温室１６内の温度が設定温度となるように制御するのである。
【００１７】
一方、２０℃等の室温より低温に維持する際は、ヒータ３３をオフにし、冷凍機３５をオンにする。そして、送風ファン３１を逆回転することによって、冷却された空気が、下面部エア流路２４、背面部エア流路２８、上面部エア流路２６、側面部エア流路２５の順に流れるようにする。低温の空気は重くなり、上昇しにくくなるが、断面積の小さな背面部エア流路２８内を一気に上面部エア流路２６にまで上昇させてしまうのである。これにより、重い、冷たい空気は両側面部エア流路２５内を下降し、恒温室１６内を均一に冷却することとなる。
【００１８】
上記の実施の形態では、下面部エア流路２４内に、送風ファン３１、エバポレータ３２、ヒータ３３を配設したが、これらは必ずしも下面部エア流路２４内に配置するのでなくともよい。例えば、側面部エア流路２６内の下部などに設けるものであってもよい。
【図面の簡単な説明】
【００１９】
【図１】恒温槽の正面断面図である。
【図２】恒温槽の左側面断面図である。
【図３】恒温槽の右側面断面図である。
【図４】恒温槽の平面断面図である。
【図５】外装壁の断面説明図である。
【符号の説明】
【００２０】
１０  恒温槽
１２  外装壁
１４  内装壁
１６  恒温室
１８  蓋
２０  ステンレス板
２１  断熱材
２２  エア流路
２４  下面部エア流路
２５  側面部エア流路
２６  上面部エア流路
２７  断熱材
２８  背面部エア流路
３０  カバー
３１  送風ファン
３２  エバポレータ
３３  ヒータ
３５  冷凍機
３６  開口部
３７  断熱材
３８  断熱材
【図１】
2008185286.tif 000003
【図２】
2008185286.tif 000004
【図３】
2008185286.tif 000005
【図４】
2008185286.tif 000006
【図５】
2008185286.tif 000007